(57)【要約】【課題】ベース照明および奥行き感のある照明の両用途に供することができ、収納時における空気中の塵や埃の付着を抑制することができる折り畳み式照明器具を提供すること。【解決手段】本発明に係る折り畳み式照明器具１は、光源であるＬＥＤ６とこれを実装するＬＥＤ基板７を備えたＬＥＤ光源部２と、該ＬＥＤ光源２の周囲を覆う形状変形可能な可撓性部材から成るシェード５を含んで構成される。ここで、前記シェード５をシリコーン樹脂で構成する。また、前記ＬＥＤ光源部２とその上方に配された台座４とを折り畳み可能なバネ部材９によって連結する。なお、前記ＬＥＤ光源部２の前記ＬＥＤ基板７を両面基板としてその上下面に前記ＬＥＤ６を実装するとともに、前記シェード５に複数の孔５ｃを形成してもよい。【選択図】図２
2015076263.tif 000002
【特許請求の範囲】
【請求項１】
光源であるＬＥＤとこれを上方と下方に照明可能に実装するＬＥＤ基板を備えたＬＥＤ光源部と、該ＬＥＤ光源の周囲を覆う形状変形可能なシェードを含んで構成されることを特徴とする折り畳み式照明器具。
【請求項２】
前記シェードを可撓性部材で構成したことを特徴とする請求項１記載の折り畳み式照明器具。
【請求項３】
前記ＬＥＤ光源部とその上方に配された台座とを折り畳み可能なバネ部材によって連結したことを特徴とする請求項１または２記載の折り畳み式照明器具。
【請求項４】
前記シェードに複数の孔を形成したことを特徴とする請求項１〜３の何れかに記載の折り畳み式照明器具。
【請求項５】
前記シェードの一部を導光部材で構成し、該導光部材の長手方向端部に前記ＬＥＤ光源のＬＥＤとは別のＬＥＤを配置したことを特徴とする請求項１〜４の何れかに記載の折り畳み式照明器具。
【発明の詳細な説明】
【技術分野】
【０００１】
本発明は、シーリングライトなどの折り畳み式照明器具に関するものである。
【背景技術】
【０００２】
例えば、天井に直付けされるシーリングライトなどの照明器具の光源には、従来から環状蛍光管が専ら使用されてきたが、最近では、発光効率が高くて省電力、且つ、長寿命であるＬＥＤ(発光ダイオード）が使用されてきつつある。
【０００３】
ところで、斯かる照明器具に関して、例えば特許文献１には、円形トレイ状の本体板とその開口部を覆う椀状乳白色透光性の照明カバー（シェード）によって形成される空間内に、複数個の一般電球型のＬＥＤ電球を中心部に向かって放射状に配置し、前記ＬＥＤ電球が点灯したとき、配光を前記本体板の中央部に集光させることによって前記照明カバーに明暗が生じないように光らせるシーリングライトが提案されている。
【０００４】
また、特許文献２には、内部に光源部と導光板及び回路部が収容保持された本体部から延びる電源コードの中間部にコード調整部を設け、該コード調整部の長さを調整することによって、前記本体部の取付高さを使用環境や好みに応じて調整することができるシーリングライトが提案されている。
【先行技術文献】
【特許文献】
【０００５】
【特許文献１】特開２０１３−０４５６５７号公報
【特許文献２】実用新案登録第３１６１４２５号公報
【発明の概要】
【発明が解決しようとする課題】
【０００６】
しかしながら、特許文献１，２において提案されたシーリングライトは、折り畳むことができないために表面積が大きく、その表面に空気中の塵や埃が付着し易い他、ベース照明と奥行き感のある照明の双方の用途には供し得ないという問題がある。
【０００７】
本発明は上記問題に鑑みてなされたもので、その目的とする処は、ベース照明および奥行き感のある照明の両用途に供することができ、収納での空気中の塵や埃の付着を抑制することができる折り畳み式照明器具を提供することにある。
【課題を解決するための手段】
【０００８】
上記目的を達成するため、請求項１記載の折り畳み式照明器具は、光源であるＬＥＤとこれを上方と下方に照明可能に実装するＬＥＤ基板を備えたＬＥＤ光源部と、該ＬＥＤ光源の周囲を覆う形状変形可能なシェードを含んで構成されることを特徴とする。
【０００９】
請求項２記載の発明は、請求項１記載の発明において、前記シェードを可撓性材料で構成したことを特徴とする。
【００１０】
請求項３記載の発明は、請求項１または２記載の発明において、前記ＬＥＤ光源部とその上方に配された台座とを折り畳み可能なバネ部材によって連結したことを特徴とする。
【００１１】
請求項４記載の発明は、請求項１〜３の何れかに記載の発明において、前記シェードに複数の孔を形成したことを特徴とする。
【００１２】
請求項５記載の発明は、請求項１〜４の何れかに記載の発明において、前記シェードの一部を導光部材で構成し、該導光部材の長手方向端部に前記ＬＥＤ光源のＬＥＤとは別のＬＥＤを配置したことを特徴とする。
【発明の効果】
【００１３】
請求項１〜３記載の発明によれば、シェードをシリコーン樹脂等の形状変形可能な可撓性部材によって構成したため、シェードを折り畳んだ状態で使用すれば、当該折り畳み式照明器具をベース照明に供することができ、不使用時に折り畳んで収納しておけば、シェードの表面積が小さくなるために該シェードの表面への空気中の塵や埃の付着を抑えることができる。
【００１４】
また、シェードを引き伸ばした状態で使用すれば、当該折り畳み式照明器具を奥行き感のある照明に供することができ、その直下に必要な照度を確保することができる。そして、ＬＥＤ光源が上方の照明を行うことによって、シェードを介して天井面の照明を行い、間接光によるベース照明の効果を得ることができる。
【００１５】
請求項４記載の発明によれば、ＬＥＤ基板の上面に実装されたＬＥＤから出射する光がシェードに形成された複数の孔を通過して天井に照射されるため、天井に複数のスポット光による斬新で優れた意匠性を付与することができる。
【００１６】
請求項５記載の発明によれば、シェードの一部に構成された導光部材にＬＥＤからの光が入射して導光部材全体が光るため、シェードのデザイン性が高められる。
【図面の簡単な説明】
【００１７】
【図１】本発明の実施の形態１に係る折り畳み式照明器具の側面図である。
【図２】本発明の実施の形態１に係る折り畳み式照明器具の側断面図である。
【図３】本発明の実施の形態１に係る折り畳み式照明器具の底面図である。
【図４】本発明の実施の形態１に係る折り畳み式照明器具の折り畳んだ状態の側面図である。
【図５】本発明の実施の形態１に係る折り畳み式照明器具の折り畳んだ状態の側断面図である。
【図６】本発明の実施の形態１に係る折り畳み式照明器具の折り畳んだ状態の底面面図である。
【図７】本発明の実施の形態２に係る折り畳み式照明器具の側面図である。
【図８】本発明の実施の形態３に係る折り畳み式照明器具の側面図である。
【発明を実施するための形態】
【００１８】
以下に本発明の実施の形態を添付図面に基づいて説明する。
【００１９】
＜実施の形態１＞
図１は本発明の実施の形態１に係る折り畳み式照明器具の側面図、図２は同折り畳み式照明器具の側断面図、図３は同折り畳み式照明器具の底面図、図４は同折り畳み式照明器具の折り畳んだ状態の側面図、図５は同折り畳み式照明器具の折り畳んだ状態の側断面図、図６は同折り畳み式照明器具の折り畳んだ状態の底面面図である。
【００２０】
本実施の形態に係る折り畳み式照明器具１は、天井に直付けされるシーリングライトであって、図２に示すように、ＬＥＤ光源部２と、該ＬＥＤ光源部２の下方を覆うように配置された円板状のアウタレンズ３と、ＬＥＤ光源部２の上方に配置された円板状の台座４などをシェード５によって覆うことによって構成されている。
【００２１】
上記ＬＥＤ光源部２は、光源である複数のＬＥＤ６ａ，６ｂと、これらのＬＥＤ６ａ，６ｂを上方と下方に照明可能に実装する円板状のＬＥＤ基板７と、該ＬＥＤ基板７の中心部に設けられたＬＥＤ駆動回路８によって構成されている。上方と下方に照明可能とするには、ＬＥＤ基板７の上面にＬＥＤ６ｂを実装し、ＬＥＤ基板７の下面にＬＥＤ６ａを実装したり、ＬＥＤ基板７の片面にＬＥＤ６ａまたはＬＥＤ６ｂを実装してプリズムや鏡などの光学部品を介して他方の面側に照明を可能とする構成であってもよい。そして、このＬＥＤ光源部２とその上方に配置された前記台座４とは、横Ｖ字状に屈曲する折り畳み可能な金属製の２本のバネ部材９によって互いに連結されている。
【００２２】
前記アウタレンズ３は、透明なクリア樹脂或いは光拡散機能を有する樹脂によって構成されている。また、前記台座４の上面中心部には、当該折り畳み式照明器具１を天井に引っ掛けて取り付けるための取付部１０が設けられている。
【００２３】
ところで、前記シェード５は、形状変形可能な可撓性部材であるシリコーン樹脂によって構成されており、前記台座４と前記ＬＥＤ光源部２とを連結する前記バネ部材９の周囲を覆う円筒部５ａと、該円筒部５ａの下端から下方に向かってラッパ状に開くテーパ部５ｂとを備えている。ここで、シェード５にはリング状の複数の折り目が上下方向に適当な間隔で形成されており、該シェード５の下面は開口している。なお、シリコーン樹脂は、ポリカーボネート樹脂（ＰＣ）やアクリル樹脂などに比べて耐熱強度が高いため、シェード５の材質には好適である。
【００２４】
而して、以上のように構成された折り畳み式照明器具１を図１〜図３に示すようにシェード５を下方に引き伸ばした状態で使用すれば、当該折り畳み式照明器具１を奥行き感のある照明に供することができ、その直下に必要な照度を確保することができる。なお、シェード５を構成するシリコーン樹脂に光を拡散させる材料を用いれば、シェード５の部分を全体的に淡く光らせることができる。また、ＬＥＤ光源部２による上部照明を行うことによって、シェード５を介して天井の照明を行い、間接照明によるベース照明の効果を得ることができる。
【００２５】
また、本実施の形態に係る折り畳み式照明器具１においては、シェード５を形状変形可能なシリコーン樹脂によって構成したため、シェード５を図４〜図６に示すように折り畳んだ状態で使用することができ、当該折り畳み式照明器具１をベース照明に供することができる。そして、折り畳み式照明器具１を不使用時に薄く折り畳んで収納しておけば、シェード５の表面積が小さくなるため、該シェード５の表面への空気中の塵や埃の付着を抑えることができる。
【００２６】
＜実施の形態２＞
次に、本発明の実施の形態２を図７に基づいて以下に説明する。なお、図７は本発明の実施の形態２に係る折り畳み式照明器具の側面図であり、本図においては図１に示したものと同一要素には同一符号を付しており、以下、それらについてのさお殿説明は省略する。
【００２７】
本実施の形態に係る折り畳み式照明器具１’においては、図示しないが、ＬＥＤ光源部のＬＥＤ基板を両面基板とし、その上下面にＬＥＤを実装するとともに、シェード５に複数の孔５ｃを形成している。
【００２８】
而して、本実施の形態に係る折り畳み式照明器具１’においても、前記実施の形態１と同様の効果が得られる他、ＬＥＤ基板の上面を照射するＬＥＤから出射する光がシェード５を介して天井に照射されるため、シェード５を下げたことによるスポット照明に加えて、天井面を照明する間接照明によるベース照明の効果が得られる。また、シェード５に形成された複数の孔５ｃを通過して照明光が天井に照射されるため、天井に複数のスポット光による斬新で優れた意匠性を付与することができるという効果が得られる。
【００２９】
＜実施の形態３＞
次に、本発明の実施の形態３を図８に基づいて以下に説明する。なお、図８は本発明の実施の形態３に係る折り畳み式照明器具の側面図であり、本図においても図１に示したものと同一要素には同一符号を付しており、以下、それらについてのさお殿説明は省略する。
【００３０】
本実施の形態に係る折り畳み式照明装置１”は、シェード５の一部を導光部材１１で構成し、該導光部材１１の長手方向端部にＬＥＤ光源のＬＥＤとは別のＬＥＤ１２を配置したことを特徴としている。
【００３１】
而して、本実施の形態に係る折り畳み式照明器具１”においても、前記実施の形態１と同様の効果が得られる他、シェード５の一部に構成された導光部材１１にＬＥＤ１２からの光が入射して導光部材１１の全体が光るため、シェード５のデザイン性が高められる。この場合、ＬＥＤ１２として、Ｒ（赤）、Ｇ（緑）、Ｂ（青）、Ｗ（白）単色またはＲＧＢの混合色のものを使用すれば、シェード５の色を任意に変えることができる。
【符号の説明】
【００３２】
１，１’，１”  折り畳み式照明器具
２              ＬＥＤ光源部
３              アウタレンズ
４              台座
５              シェード
５ａ            シェードの円筒部
５ｂ            シェードのテーパ部
５ｃ            シェードの孔
６ａ，６ｂ      ＬＥＤ
７              ＬＥＤ基板
８              ＬＥＤ駆動回路
９              バネ部材
１０            取付部
１１            導光部材
１２            ＬＥＤ
【図１】
2015076263.tif 000003
【図２】
2015076263.tif 000004
【図３】
2015076263.tif 000005
【図４】
2015076263.tif 000006
【図５】
2015076263.tif 000007
【図６】
2015076263.tif 000008
【図７】
2015076263.tif 000009
【図８】
2015076263.tif 000010